(57)【特許請求の範囲】
【請求項１】
フレーム本体側面の周縁に沿って、ドラムフィルムが設置され、前記フレーム本体と前記ドラムフィルムとの間に共振チャンバが形成され、
前記ドラムフィルムには磁性ユニットが設置され、
前記フレーム本体の中央にはコイルが取付けられ、
前記コイルが電界および磁気で励起されると、前記フレーム本体の中央位置に磁気ラインの変化により吸引または排斥の力が形成され、前記ドラムフィルムが振動し音声が出力され、
前記共振チャンバの底部中央には貫通孔が設けられ、
前記貫通孔の前記共振チャンバに対向する周縁の片側に取付台が締め付けられ、前記取付台の中央に貫通孔が形成され、前記取付台の貫通孔の口径は前記共振チャンバに設けられている貫通孔の口径に対応し、前記磁性ユニットは容易に移動可能であり、
前記磁性ユニットは、活動ブッシュおよび強磁性の永久磁石により構成され、前記活動ブッシュの一端は前記ドラムフィルムの中央に設置され、他端は前記共振チャンバおよび前記取付台に設けられている貫通孔まで移動可能に延ばされており、
前記コイルが電界および磁気で励起されることにより、前記磁性ユニットは前記共振チャンバの貫通孔および前記取付台の貫通孔の内側を上下に往復移動可能であることを特徴とするスピーカ。
【請求項２】
前記取付台は、前記フレーム本体の貫通孔と前記共振チャンバとに対応する周縁部の他側に据付けられていることを特徴とする請求項１記載のスピーカ。
【請求項３】
前記永久磁石は、前記活動ブッシュの中央に嵌め込まれていることを特徴とする請求項１記載のスピーカ。
【請求項４】
前記活動ブッシュの前記ドラムフィルム近傍に、波状のダンパフィルムが設けられ、前記ダンパフィルムが半径方向に沿って延ばされ、前記フレーム本体の前記共振チャンバの所定位置に連結されていることを特徴とする請求項１記載のスピーカ。
【発明の詳細な説明】
【０００１】
【発明の属する技術分野】
本発明はスピーカに関する。
【０００２】
【従来の技術】
従来のスピーカ１０の構造は図１に示すように、主に鉄のフレーム１１の片側中央位置に、凹入の共振チャンバ１２が形成されている。その周縁には、ドラムフィルム１３が貼付けられている。ドラムフィルム１３は共振チャンバ１２の方向へ向かって凹入に設けられている。ドラムフィルム１３の中央には活動ブッシュ１４の一端が設置されている。活動ブッシュ１４の他端の外部エッジに、コイル１５が設けられている。活動ブッシュ１４には、ドラムフィルム１３とコイル１５との接続した位置に、波浪状のダンパフィルム１６が配置される。ダンパフィルム１６は半径方向に沿って延ばされ、鉄のフレーム１１の共振チャンバ１２における所定位置に連結される。鉄のフレーム１１の別側に、開口１７が設置されている。開口１７の周縁に、取付台１８が据付けられる。取付台１８の一端の開口１７に対応した位置に、貫通孔１９が設けられている。開口１７および貫通孔１９の口径を経由して、コイル１５を巻いた活動ブッシュ１４の一端が取付台１８を通過する。取付台１８の他端には、貫通孔２０がもうけられている。貫通孔２０を、Ｔ形断面をもつコア２１の中心柱２１１が通過して設置され、コイル１５を巻いた活動ブッシュ１４の一端の内法口径に入る。取付台１８の周縁に、永久マグネット２２が設置されている。
【０００３】
従来のスピーカ１０の構造として、図２に示すように、電流がコイル１５に流れているうちに、励起された電磁効果で生じる磁力線により、周縁に設けられた永久マグネット２２と、相互に吸収、排斥の作用が形成されるので、コイル１５に入力された電流の大、小、方向の変化に応じて、コイル１５を巻いた活動ブッシュ１４が上下に振動しながら、ドラムフィルム１３を作動させ、スピーカ１０から、音声が出力される。
【０００４】
【発明が解決しようとする課題】
しかしながら、従来のスピーカ１０は以下の問題点により、体積が縮小できない。
（ア）従来のスピーカ１０の取付台１８、コア２１、永久マグネット２２などパーツの重量および体積が非常に大きいばかりでなく、鉄のフレーム１１のドラムフィルム１３に対応する側に設置されるので、設計上全体の寸法、特に厚さを有効的に減らすことができない。
【０００５】
（イ）従来のスピーカ１０では、コイル１５を巻いた活動ブッシュ１４の一端が取付台１８の中に入って、コア２１の中心柱２１１と永久マグネット２２との間における、限りがあるギャップに配置されるので、パーツのアセンブリの困難程度が増加されるばかりでなく、ギャップの適当性がスピーカ１０の製造品質に影響を及ぼす。
【０００６】
（ウ）スピーカ１０では、取付台１８の底部に配置されたコア２１が活動ブッシュ１４の振動ストロークを制限するため、スピーカ１０がハイパワーの低周波を出力しているうちに、コイル１５を巻いた活動ブッシュ１４の一端がコア２１に衝撃を与え、活動ブッシュ１４に変形を生じされ、出力効果にひずみを生じる。
【０００７】
（エ）従来のスピーカ１０では、活動ブッシュ１４とドラムフィルム１３との接続の一端が一般的に開口状になるが、塵埃、異物を活動ブッシュ１４に落とし、活動ブッシュ１４とコア２１の中心柱２１１との間に蓄積して、活動ブッシュ１４の自由活動程度に影響することを避けるために、活動ブッシュ１４の開口端に、図１、図２に示すように、防塵フィルム２３を追加しなければならない。
【０００８】
したがって、本発明の主な目的は空間を省き厚さを大幅に低減させたスピーカを提供することにある。
本発明のもう一つの目的はドラムフィルムの振動ストロークを有効的に向上させ、ひずみを避け、スピーカの低音特性および力率をアップさせたスピーカを提供することにある。
本発明のもう一つの目的は防塵フィルムを採用せずに、活動ブッシュの活動自由程度を妨げないスピーカを提供することにある。
【０００９】
【課題を解決するための手段】
上述の目的を達成するため本発明のスピーカは、スピーカのフレーム本体の側面における周縁に沿って、ドラムフィルムが設置されている。フレーム本体とドラムフィルムとの間には、共振チャンバが形成され、中央に、コイルが取付けられている。コイルが電界および磁気で励起されるとき、磁気ラインの変化により中央位置に、吸引または排斥の力が形成され、ドラムフィルムを振動させ、音声が出力される。フレーム本体のドラムフィルムに対応した側面中央位置に、コイルがセットされる。コイルが励起されると、磁性ユニットにより吸収および排斥の作用が形成され、ドラムフィルムを作動させ、音声が出力される。これによりスピーカのアセンブリ構造、コストを簡化させることが可能となる。
【００１０】
磁性ユニットが直接的にドラムフィルムの中央位置に設けられ、あるいは活動ブッシュが間接的にドラムフィルムの中央位置に設けられることで、外界の塵埃や異物がドラムフィルムの中央位置または活動ブッシュの中心孔から、コイルと磁性ユニットとの間のギャップに入らないので、防塵フィルムの設置を省略することが可能となる。
磁性ユニットが直接または間接的に、ドラムフィルムの中央位置に取り付けられることで、従来のスピーカの取付台、コア、永久マグネットなどパーツの占めていた空間を省くとともに、スピーカの厚さも大幅に低減される。
【００１１】
【発明の実施の形態】
以下、本発明の実施例を図面に基づいて説明する。
図３、図４、図５に示すように、本発明の実施例により提供されるスピーカおよびその製造方法は、スピーカ３０のフレーム本体３１の側面における周縁に沿って、ドラムフィルム３２が設置される。フレーム本体３１とドラムフィルム３２との間に、共振チャンバ３３が形成される。中央には、コイル３４が取付けられている。コイル３４が電界および磁気で励起されるとき、ドラムフィルム３２の中央のコイル３４に対応して設けられている磁性ユニット３５は磁気ラインの変化により、吸引または排斥の力が形成される。これによりドラムフィルム３２を振動させ、音声が出力される。
【００１２】
本発明の実施例（一）は図３に示すように、フレーム本体３１の中央位置に、凹入の共振チャンバ３３が形成される。その周縁に、ドラムフィルム３２が貼付けられている。ドラムフィルム３２が共振チャンバ３３の方向へ向かって延ばされる。さらに中央に、磁性ユニット３５が設置されている。フレーム本体３１には、共振チャンバ３３の底部中央に、貫通孔３７が配置される。貫通孔３７には、共振チャンバ３３に真向かう片側の周縁に、取付台３８が締付けられている。取付台３８の中央置には、貫通孔３８１が設けられている。その貫通孔３８１の口径がフレーム本体３１の貫通孔３７の口径に相当する。それら貫通孔３８１、３７の寸法、設計位置により、磁性ユニット３５が移動および通過可能となる。
【００１３】
本実施例では、電流がコイル３４に流れることにより励起させるので、取付台３８の貫通孔３８１の位置に、電磁効果が生じる。出てくる磁力線と磁性ユニット３５の磁力線との間に、相互に吸収および排斥の作用が形成される。よって、コイル３４の入力した電流の大、小、方向の変化につれて、磁性ユニット３５が上、下のように振動して、ドラムフィルム３２を作動させ、スピーカ３０から、音声が出力される。
【００１４】
本発明の実施例（二）は図４に示すように、取付台３８はフレーム本体３１の貫通孔３７と共振チャンバ３３との対応した他側周縁に据付けられている。取付台３８の中央には、貫通孔３８１が設けられている。貫通孔３８１の口径はフレーム本体３１の貫通孔３７の口径に相当する。貫通孔３８１および貫通孔３７の寸法、設計位置により、磁性ユニット３５は移動可能となる。電流がコイル３４に流れ、コイル３４を励起させるので、取付台３８の貫通孔３８１の位置に、電磁効果が生じる。出てくる磁力線と磁性ユニット３５の磁力線との間に、相互に吸収および排斥の作用が形成される。よって、コイル３４に入力した電流の大、小、方向の変化につれて、磁性ユニット３５が上、下のように振動して、ドラムフィルム３２を作動させ、スピーカ３０から、音声が出力される。
【００１５】
前述した実施例（二）（三）では、図５に示すように、磁性ユニット３５が強磁性の永久マグネット３５１で、直接的に、ドラムフィルム３２の中央位置に設置されている。
本実施例では、図３、図４に示すように、該磁性ユニット３５は活動ブッシュ３５２および強磁性の永久マグネット３５１から構成されている。活動ブッシュ３５２の一端はドラムフィルム３２の中央位置に設置され、他端は貫通孔３８１および貫通孔３７まで延ばされ、その内部を活動可能とし、磁力ユニット３５の活動安定性を向上させる。なお、永久マグネット３５１を活動ブッシュ３５２の中央に嵌め込んで、コイルの電磁効果の位置を誘導することが可能である。
【００１６】
本発明の実施例（一）（二）（三）として、図３、図４、図５に示すように、ドラムフィルム３２、磁性ユニット３５のダンパ効果を向上させ、音声の質、量を校正するために、磁性ユニット３５または活動ブッシュ３５２がドラムフィルム３２に近い位置に、波浪状のダンパフィルム３６を追加する。ダンパフィルム３６が半径方向に沿って延ばされ、共振チャンバ３３の中に、フレーム本体３１の所定位置に接続される。
【００１７】
本発明により、磁性ユニット３５は直接的にまたは間接的にドラムフィルム３２の中央位置に設けられるので、従来のスピーカの取付台、コア、永久マグネットなどパーツの占めた空間を省くとともに、スピーカの厚さも大幅に低減される。また、コイル３４はフレーム本体３１のドラムフィルム３２に、直接設置される。コイル３４が励起され、直接に磁性ユニット３５に吸収および排斥の作用を形成させ、ドラムフィルム３２を作動させ、音声が出力される。したがって、スピーカのアセンブリ構造、コストを簡化させるとともに、ドラムフィルム３２の振動ストロークを有効的に向上させ、ひずみを避け、スピーカの低音特性および力率をアップさせる。さらに、磁性ユニット３５を直接的にドラムフィルム３２の中央に設け、あるいは活動ブッシュ３５２を間接的にドラムフィルム３２の中央に設けると、外界の塵埃、異物がドラムフィルム３２の中央位置または活動ブッシュ３５２の中心孔から、コイル３４と磁性ユニット３５１との間におけるギャップに入らないので、防塵フィルム３９がいらなくても、活動ブッシュの活動自由程度に影響を及ぼさない。
【図面の簡単な説明】
【図１】従来のスピーカの立体断面図である。
【図２】従来のスピーカの断面図である。
【図３】本発明の実施例（一）を示す断面図である。
【図４】本発明の実施例（二）を示す断面図である。
【図５】本発明の実施例（三）を示す断面図である。
【符号の説明】
３０    スピーカ
３１    フレーム本体
３２    ドラムフィルム
３３    共振チャンバ
３４    コイル
３５    磁性ユニット
３６    ダンパフィルム
３７    貫通孔
３８    取付台
３５１    永久マグネット
３５２    活動ブッシュ
【図１】
0003749662.tif 000002
【図２】
0003749662.tif 000003
【図３】
0003749662.tif 000004
【図４】
0003749662.tif 000005
【図５】
0003749662.tif 000006